【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  検索条件となる比較元画像と、その比較先画像との類似度に基づいて、類似画像検索を行う画像処理装置であって、
処理対象画像の輝度に関する輝度特徴情報を抽出する輝度特徴情報抽出手段と、
処理対象画像の色に関する色特徴情報を抽出する色特徴情報抽出手段と、
処理対象画像の色情報が十分であるか否かを判定する判定手段と、
前記判定手段の判定の結果、前記比較元画像の色情報が十分である場合、その色特徴情報で前記比較先画像の色特徴情報との類似比較を行い、一方、前記比較元画像の色情報が不十分である場合、その輝度特徴情報と前記比較先画像の輝度特徴情報との類似比較を行う比較手段と、
前記比較手段の比較結果に基づいて、検索結果となる画像を出力する出力手段と
を備えることを特徴とする画像処理装置。
【請求項２】  前記比較手段は、前記判定手段の判定の結果、前記比較元画像及び前記比較先画像それぞれの色情報が十分である場合、該比較元画像及び該比較先画像の双方の色特徴情報で類似比較を行い、一方、前記比較元画像及び前記比較先画像の少なくとも一方の色情報が不十分である場合、該比較元画像及び該比較先画像の双方の輝度特徴情報で類似比較を行う
ことを特徴とする請求項１に記載の画像処理装置。
【請求項３】  前記判定手段は、前記比較元画像の画素の色を解析する解析手段を備え、
前記解析手段の解析結果に基づいて、前記比較元画像の色情報が十分であるか否かを判定する
ことを特徴とする請求項１に記載の画像処理装置。
【請求項４】  前記判定手段は、前記比較元画像のデータフォーマットが、カラー画像である場合には、該比較元画像の色情報が十分であると判定し、一方、モノクロあるいはグレースケール画像である場合には、該比較元画像の色情報が不十分であると判定する
ことを特徴とする請求項１に記載の画像処理装置。
【請求項５】  前記解析手段は、前記比較元画像に占める色情報の割合を解析する
ことを特徴とする請求項３に記載の画像処理装置。
【請求項６】  前記解析手段は、前記比較元画像あるいはその縮小画像を構成する全画素の平均色における輝度成分値に対する色差成分値の比率を解析する
ことを特徴とする請求項３に記載の画像処理装置。
【請求項７】  前記解析手段は、前記比較元画像あるいはその縮小画像を構成する全画素の各濃度値を、色空間を分割して作った部分空間である色ビンへ射影し、色ビンに対する色ヒストグラムを生成する生成手段と、
前記比較元画像の全画素数に対するグレースケール方向の色ビンに属する画素数の割合を算出する算出手段と
を備えることを特徴とする請求項３に記載の画像処理装置。
【請求項８】  前記輝度特徴情報は、前記比較元画像を複数のブロックに分割した各ブロックにおける輝度ヒストグラム中の最頻輝度に対応する輝度階級と、各ブロックの位置情報とを対応づけた情報である
ことを特徴とする請求項１に記載の画像処理装置。
【請求項９】  前記輝度特徴情報は、前記比較元画像を複数のブロックに分割した各ブロックにおける平均輝度と、各ブロックの位置情報とを対応づけた情報である
ことを特徴とする請求項１に記載の画像処理装置。
【請求項１０】  前記輝度特徴情報は、前記比較元画像を複数のブロックに分割した各ブロックにおける平均輝度に対応する輝度階級と、各ブロックの位置情報とを対応づけた情報である
ことを特徴とする請求項１に記載の画像処理装置。
【請求項１１】  前記色特徴情報は、前記比較元画像を複数のブロックに分割した各ブロックにおける色ヒストグラム中の最頻色に対応する色ビンＩＤと、各ブロックの位置情報とを対応づけた情報である
ことを特徴とする請求項１に記載の画像処理装置。
【請求項１２】  前記色特徴情報は、前記比較元画像を複数のブロックに分割した各ブロックにおける平均色と、各ブロックの位置情報とを対応づけた情報である
ことを特徴とする請求項１に記載の画像処理装置。
【請求項１３】  前記色特徴情報は、前記比較元画像を複数のブロックに分割した各ブロックにおける平均色に対応する色ビンＩＤと、各ブロックの位置情報とを対応づけた情報である
ことを特徴とする請求項１に記載の画像処理装置。
【請求項１４】  前記輝度特徴情報抽出手段は、前記輝度特徴情報を、前記比較元画像を複数のブロックに分割した各ブロックの輝度ヒストグラムを階級化あるいは量子化したヒストグラムに基づいて抽出し、
前記色特徴情報抽出手段は、前記色特徴情報を複数のブロックに分割した各ブロックを構成する全画素の各濃度値を、色空間を分割して作った部分空間である色ビンへ射影して得られる色ビンに対する色ヒストグラムに基づいて抽出し、
前記輝度特徴情報抽出手段による階級化あるいは量子化での階級数あるいは量子化ステップ数は、前記色特徴情報抽出手段における色ビンのグレースケール方向のビン数よりも多い
ことを特徴とする請求項１に記載の画像処理装置。
【請求項１５】  前記色特徴情報抽出手段は、処理対象画像である前記比較元画像がモノクロあるいはグレースケール画像である場合でも、該比較元画像の色に関する色特徴情報を抽出する
ことを特徴とする請求項１に記載の画像処理装置。
【請求項１６】  前記比較先画像となる画像を画像蓄積部に登録する登録手段を更に備え、
前記色特徴情報抽出手段は、処理対象画像である前記比較先画像がモノクロあるいはグレースケール画像である場合、該比較先画像をカラー画像へ変換した変換画像の色に関する色特徴情報を抽出する
ことを特徴とする請求項１に記載の画像処理装置。
【請求項１７】  前記輝度特徴情報抽出手段は、処理対象画像を複数のブロックに分割した各ブロック毎に前記輝度特徴情報を抽出し、その分割する縦横ブロック数は、前記処理対象画像のアスペクト比や大きさに関わらず同一である
ことを特徴とする請求項１に記載の画像処理装置。
【請求項１８】  前記色特徴情報抽出手段は、処理対象画像を複数のブロックに分割した各ブロック毎に前記色特徴情報を抽出し、その分割する縦横ブロック数は、前記処理対象画像のアスペクト比や大きさに関わらず同一である
ことを特徴とする請求項１に記載の画像処理装置。
【請求項１９】  色情報が十分であるか否かを示す色情報フラグと対応付けられている画像を記憶する記憶手段を更に備え、
前記判定手段は、前記比較先画像が前記記憶手段に記憶されている画像である場合、該比較先画像に対応する色情報フラグに基づいて、該比較先画像の色情報が十分であるか否かを判定する
ことを特徴とする請求項１に記載の画像処理装置。
【請求項２０】  前記比較先画像を前記記憶手段に記憶されている画像から指定する指定手段を更に備える
ことを特徴とする請求項１９に記載の画像処理装置。
【請求項２１】  類似画像検索の検索対象となる画像の画像登録処理を行う画像処理装置であって、
画像を入力する入力手段と、
前記画像を管理するための管理情報を生成する生成手段と、
前記画像の輝度に関する輝度特徴情報を抽出する輝度特徴情報抽出手段と、
前記画像の色に関する色特徴情報を抽出する色特徴情報抽出手段と、
前記画像、前記管理情報、前記輝度特徴情報及び前記色特徴情報を対応づけて記憶する記憶手段と
を備えることを特徴とする画像処理装置。
【請求項２２】  前記画像の色情報が十分であるか否かを判定する判定手段を更に備え、
前記記憶手段は、更に、前記判定手段の判定結果によって得られる色情報が十分であるか否かを示す色情報フラグを対応づけて記憶する
ことを特徴とする請求項２１に記載の画像処理装置。
【請求項２３】  検索条件となる比較元画像と、その比較先画像との類似度に基づいて、類似画像検索を行う画像処理方法であって、
処理対象画像の輝度に関する輝度特徴情報を抽出する輝度特徴情報抽出工程と、
処理対象画像の色に関する色特徴情報を抽出する色特徴情報抽出工程と、
処理対象画像の色情報が十分であるか否かを判定する判定工程と、
前記判定工程の判定の結果、前記比較元画像の色情報が十分である場合、その色特徴情報で前記比較先画像の色特徴情報との類似比較を行い、一方、前記比較元画像の色情報が不十分である場合、その輝度特徴情報と前記比較先画像の輝度特徴情報との類似比較を行う比較工程と、
前記比較工程の比較結果に基づいて、検索結果となる画像を出力する出力工程と
を備えることを特徴とする画像処理方法。
【請求項２４】  類似画像検索の検索対象となる画像の画像登録処理を行う画像処理方法であって、
画像を入力する入力工程と、
前記画像を管理するための管理情報を生成する生成工程と、
前記画像の輝度に関する輝度特徴情報を抽出する輝度特徴情報抽出工程と、
前記画像の色に関する色特徴情報を抽出する色特徴情報抽出工程と、
前記画像、前記管理情報、前記輝度特徴情報及び前記色特徴情報を対応づけて記憶媒体に記憶する記憶工程と
を備えることを特徴とする画像処理方法。
【請求項２５】  検索条件となる比較元画像と、その比較先画像との類似度に基づいて、類似画像検索を行う画像処理を実現するプログラムであって、
処理対象画像の輝度に関する輝度特徴情報を抽出する輝度特徴情報抽出工程のプログラムコードと、
処理対象画像の色に関する色特徴情報を抽出する色特徴情報抽出工程のプログラムコードと、
処理対象画像の色情報が十分であるか否かを判定する判定工程のプログラムコードと、
前記判定工程の判定の結果、前記比較元画像の色情報が十分である場合、その色特徴情報で前記比較先画像の色特徴情報との類似比較を行い、一方、前記比較元画像の色情報が不十分である場合、その輝度特徴情報と前記比較先画像の輝度特徴情報との類似比較を行う比較工程のプログラムコードと、
前記比較工程の比較結果に基づいて、検索結果となる画像を出力する出力工程のプログラムコードと
を備えることを特徴とするプログラム。
【請求項２６】  類似画像検索の検索対象となる画像の画像登録処理を行う画像処理を実現するプログラムであって、
画像を入力する入力工程のプログラムコードと、
前記画像を管理するための管理情報を生成する生成工程のプログラムコードと、
前記画像の輝度に関する輝度特徴情報を抽出する輝度特徴情報抽出工程のプログラムコードと、
前記画像の色に関する色特徴情報を抽出する色特徴情報抽出工程のプログラムコードと、
前記画像、前記管理情報、前記輝度特徴情報及び前記色特徴情報を対応づけて記憶媒体に記憶する記憶工程のプログラムコードと
を備えることを特徴とするプログラム。